(57)【特許請求の範囲】
【請求項１】
直列に接続された複数の電池セルの隣接する電池セルの各々の間に、抵抗素子を介して接続された複数の配線と、
前記直列に接続された複数の電池セルの各々に対応して設けられ、前記電池セルの各々の高電位側に接続された前記配線と低電位側に接続された前記配線によって得られる電圧に応じて前記電池セルの電池電圧値を検出可能な複数の電圧検出手段と、
前記直列に接続された複数の電池セルの各々に対応して設けられると共に、直列に接続され、且つ、前記複数の配線の各々の高電位側の電池セルによって前記抵抗素子に第１の方向にて流れる第１の電流と、前記複数の配線の各々の低電位側の電池セルによって前記抵抗素子に第２の方向にて流れる第２の電流と、を相殺させるための調整が可能な定電流を発生させる複数の調整手段と、
を備えた半導体装置。
【請求項２】
前記調整手段は、定電流源であり、
前記電圧検出手段は、前記電池セルの各々の高電位側に接続された前記配線と低電位側に接続された前記配線との間に直列に接続された抵抗と前記定電流源、及び直列に接続された抵抗と前記定電流源との交点の電圧と所定の基準電圧との差を出力する比較回路を備える、請求項１に記載の半導体装置。
【請求項３】
直列に接続された複数の電池セルの隣接する電池セルの各々の間に、抵抗素子を介して接続された複数の配線と、
前記電池セルの各々の高電位側に接続された前記配線と低電位側に接続された前記配線とによって得られる電圧に応じて前記電池セルの電池電圧を検出可能な電圧検知部と、
前記複数の電池セルの各々の高電位側に接続されている配線の電池セルによって前記抵抗素子に第１の方向にて流れる第１の電流と、前記複数の電池セルの各々の低電圧側に接続されている配線中の他の電池セルによって前記抵抗素子に第２の方向にて流れる第２の電流と、を相殺させるための調整が可能な調整部と、
を備え、
前記調整部は、定電流源であると共に前記複数の電池セルの各々に対応して設けられ、且つ、各々の前記調整部は直列に接続されていることを特徴とする半導体装置。
【請求項４】
直列に接続された複数の電池セルの隣接する電池セルの各々の間に、抵抗素子を介して接続された複数の配線と、
前記電池セルの各々の高電位側に接続された前記配線とグランドとの間に直列に接続された抵抗と第１定電流源、電源線と前記電池セルの各々の低電位側に接続された前記配線との間に第２定電流源と直列に接続され前記第２定電流源の定電流により基準電圧を生成する基準電圧生成部、及び直列に接続された抵抗と前記第１定電流源との交点の電圧と前記基準電圧との差を出力する比較回路を備え、前記電池セルの各々の高電位側に接続された前記配線と低電位側に接続された前記配線によって得られる電圧に応じて前記電池セルの電池電圧値を検出可能な電圧検出手段と、
グランド電位を基準として定電流を生成する前記第１定電流源、及び電源電圧を基準として定電流を生成する前記第２定電流源であり、前記複数の配線の各々の高電位側の電池セルによって前記抵抗素子に第１の方向にて流れる第１の電流と、前記複数の配線の各々の低電位側の電池セルによって前記抵抗素子に第２の方向にて流れる第２の電流と、を相殺させるための調整が可能な調整手段と、
を備えた半導体装置。
【請求項５】
前記基準電圧生成部は、ツェナーダイオード、抵抗素子、及び抵抗素子とダイオードのうちのいずれかである、請求項４に記載の半導体装置。
【請求項６】
直列に接続された複数の電池セルと、
前記複数の電池セルの高電位側に接続された、抵抗素子及び容量素子からなるノイズ除去手段と、
前記複数の電池セルの隣接する電池セルの各々の間に、前記ノイズ除去手段の前記抵抗素子を介して接続された複数の配線と、
前記直列に接続された複数の電池セルの各々に対応して設けられ、前記電池セルの各々の高電位側に接続された前記配線と低電位側に接続された前記配線によって得られる電圧に応じて前記電池セルの電池電圧値を検出可能な複数の電圧検出手段と、
前記直列に接続された複数の電池セルの各々に対応して設けられると共に、直列に接続され、且つ、前記複数の配線の各々の高電位側の電池セルによって前記抵抗素子に第１の方向にて流れる第１の電流と、前記複数の配線の各々の低電位側の電池セルによって前記抵抗素子に第２の方向にて流れる第２の電流と、を相殺させるための調整が可能な定電流を発生させる複数の調整手段と、
を備えた電池監視システム。
【発明の詳細な説明】
【技術分野】
【０００１】
本発明は、半導体装置及び電池監視システム、特に電池セルの電圧を検出する半導体装置及び電池監視システムに関するものである。
【背景技術】
【０００２】
一般に、ハイブリッド自動車や電気自動車のモータ駆動等に用いられる大容量で高出力なバッテリーとして、複数の電池（電池セル）が直列に接続された組電池であるバッテリー（具体的一例としては、リチウムイオンバッテリー等が挙げられる）が用いられている。当該バッテリーの電池セルの電圧を電圧検出回路により検出して、監視する電池監視システムが知られている。このような電圧検出回路としては、例えば、特許文献１に記載の技術が知られている。
【０００３】
また、特許文献２には、電池セルで発生したノイズを除去するノイズ除去フィルタを電池セルと電圧検出回路との間に備える技術が記載されている。
【先行技術文献】
【特許文献】
【０００４】
【特許文献１】特開２０１０−２８１８０５号公報
【特許文献１】特開２００１−１１６７７６号公報
【発明の概要】
【発明が解決しようとする課題】
【０００５】
従来の電池監視システム及び電圧検出回路の一例を図６及び図７に示す。なお、ここでは、具体的一例として、図６に示すように、電池セル群１２のうち３つの電池セルＣについて図示している。従来の電池監視システム１００の電圧検出回路２００では、各電池セルＣ毎に、図７に示した電圧検出回路２００を備えている。
【０００６】
電圧検出回路２００は、電池セルＣの電池電圧（高電位側の電圧と低電位側の電圧との差）を抵抗Ｒａ及び抵抗Ｒｂで分圧した電圧を基準電圧発生回路により発生された基準電圧と比較して、比較結果を出力する比較回路（コンパレータ３００）を備えている。
【０００７】
図６に示すように、従来の電池監視システム１００では、隣接する電池セルＣの電池電圧が異なる場合には、電池セル群１２と電圧検出回路２００との間に接続されているノイズ除去フィルタ１４の影響により、電池セルＣの電池電圧が正確に検出できないという問題があった。
【０００８】
従来の電圧検出回路２００の動作を図８を参照して説明する。図８に示すように、電池セルＣ１に流れる電流をＩ１、電圧検出回路２００の入力電圧をＶ１とする。同様に、電池セルＣ２に流れる電流をＩ２、電圧検出回路２００の入力電圧をＶ２とし、電池セルＣ３に流れる電流をＩ３、電圧検出回路２００の入力電圧をＶ３とする。
【０００９】
ノイズ除去フィルタ１４は、ＲＣ回路よりなるＬＰＦ（ローパスフィルタ）である。なお、ＲＣ回路の同一の符号が付された抵抗の抵抗値は等しくなっている。
【００１０】
まず、隣接する電池セルＣの電池電圧が等しい場合について説明する。具体的には、電池セル群１２の電池セルＣ（Ｃ１〜Ｃ３）の電池電圧が全て等しい状態になっている。
【００１１】
ノイズ除去フィルタ１４の抵抗Ｒａに流れる電流は、低電位側（下段）の電池セルＣから流れる電流の向きと高電位側（上段）の電池セルＣから流れる電流の向きとが逆になっている。電池セルＣの電池電圧が等しいため、両電流値は等しく、抵抗Ｒ１に流れる電流は相殺されて抵抗Ｒ１での電圧降下は発生しない。従って、電池セルＣの電池電圧が等しい場合には、各電池セルＣの電池電圧が電圧検出回路２００の入力電圧Ｖとなり、誤差が発生しない。
【００１２】
なお、最上位の電池セルＣ３に接続される抵抗Ｒ２には、１方向の電流（上述の低電位側の電池セルから流れる電流に該当）しか流れないため、抵抗Ｒ２での電圧降下が発生し、最上位の電池セルＣ３の電池電圧と電圧検出回路２００の入力電圧Ｖとの間に誤差が生じてしまうが、抵抗Ｒ２の抵抗値を小さくし、誤差の影響を軽減する対策が一般にとられている。
【００１３】
次に、隣接する電池セルＣの電池電圧が等しくない場合について説明する。具体的一例として、電池セルＣ１の電池電圧が他の電池セルＣ（Ｃ２、Ｃ３）よりも小さい場合について説明する。この場合、Ｉ１≠Ｉ２となる。
【００１４】
電池セルＣ１と電池セルＣ２とに接続されるノイズ除去フィルタ１４０のＲ１に流れる電流は、電流Ｉ１と電流Ｉ２の引き算となる。電池セルＣ１より電池セルＣ２の方が電池電圧が大きいため、電流Ｉ１より電流Ｉ２の方が大きくなる。従って、抵抗Ｒ１を流れる電流が実質的にゼロにならず、電流Ｉ１と電流Ｉ２との差の電流により、電圧降下が発生してしまう。このため、電圧検出回路２００の入力電圧Ｖと電池セルＣの電池電圧との間に誤差が生じてしまい、正確な電圧検出ができなくなるという問題が生じる。
【００１５】
本発明は、上述した問題を解決するために提案されたものであり、電池セルの電池電圧のばらつきにかかわらず、電池電圧を正確に検出することができる、半導体装置及び電池監視システムを提供することを目的とする。
【課題を解決するための手段】
【００１６】
上記目的を達成するために、本発明の半導体装置は、直列に接続された複数の電池セルの隣接する電池セルの各々の間に、抵抗素子を介して接続された複数の配線と、前記直列に接続された複数の電池セルの各々に対応して設けられ、前記電池セルの各々の高電位側に接続された前記配線と低電位側に接続された前記配線によって得られる電圧に応じて前記電池セルの電池電圧値を検出可能な複数の電圧検出手段と、前記直列に接続された複数の電池セルの各々に対応して設けられると共に、直列に接続され、且つ、前記複数の配線の各々の高電位側の電池セルによって前記抵抗素子に第１の方向にて流れる第１の電流と、前記複数の配線の各々の低電位側の電池セルによって前記抵抗素子に第２の方向にて流れる第２の電流と、を相殺させるための調整が可能な定電流を発生させる複数の調整手段と、を備える。
また、上記目的を達成するために、本発明の半導体装置は、直列に接続された複数の電池セルの隣接する電池セルの各々の間に、抵抗素子を介して接続された複数の配線と、前記電池セルの各々の高電位側に接続された前記配線と低電位側に接続された前記配線とによって得られる電圧に応じて前記電池セルの電池電圧を検出可能な電圧検知部と、前記複数の電池セルの各々の高電位側に接続されている配線の電池セルによって前記抵抗素子に第１の方向にて流れる第１の電流と、前記複数の電池セルの各々の低電圧側に接続されている配線中の他の電池セルによって前記抵抗素子に第２の方向にて流れる第２の電流と、を相殺させるための調整が可能な調整部と、を備え、前記調整部は、定電流源であると共に前記複数の電池セルの各々に対応して設けられ、且つ、各々の前記調整部は直列に接続されていることを特徴とする。
また、上記目的を達成するために、本発明の半導体装置は、直列に接続された複数の電池セルの隣接する電池セルの各々の間に、抵抗素子を介して接続された複数の配線と、前記電池セルの各々の高電位側に接続された前記配線とグランドとの間に直列に接続された抵抗と第１定電流源、電源線と前記電池セルの各々の低電位側に接続された前記配線との間に第２定電流源と直列に接続され前記第２定電流源の定電流により基準電圧を生成する基準電圧生成部、及び直列に接続された抵抗と前記第１定電流源との交点の電圧と前記基準電圧との差を出力する比較回路を備え、前記電池セルの各々の高電位側に接続された前記配線と低電位側に接続された前記配線によって得られる電圧に応じて前記電池セルの電池電圧値を検出可能な電圧検出手段と、グランド電位を基準として定電流を生成する前記第１定電流源、及び電源電圧を基準として定電流を生成する前記第２定電流源であり、前記複数の配線の各々の高電位側の電池セルによって前記抵抗素子に第１の方向にて流れる第１の電流と、前記複数の配線の各々の低電位側の電池セルによって前記抵抗素子に第２の方向にて流れる第２の電流と、を相殺させるための調整が可能な調整手段と、を備える。
【００１７】
また、本発明の電池監視システムは、直列に接続された複数の電池セルと、前記複数の電池セルの高電位側に接続された、抵抗素子及び容量素子からなるノイズ除去手段と、前記複数の電池セルの隣接する電池セルの各々の間に、前記ノイズ除去手段の前記抵抗素子を介して接続された複数の配線と、前記直列に接続された複数の電池セルの各々に対応して設けられ、前記電池セルの各々の高電位側に接続された前記配線と低電位側に接続された前記配線によって得られる電圧に応じて前記電池セルの電池電圧値を検出可能な複数の電圧検出手段と、前記直列に接続された複数の電池セルの各々に対応して設けられると共に、直列に接続され、且つ、前記複数の配線の各々の高電位側の電池セルによって前記抵抗素子に第１の方向にて流れる第１の電流と、前記複数の配線の各々の低電位側の電池セルによって前記抵抗素子に第２の方向にて流れる第２の電流と、を相殺させるための調整が可能な定電流を発生させる複数の調整手段と、を備える。
【発明の効果】
【００１８】
本発明によれば、電池セルの電池電圧のばらつきにかかわらず、電池電圧を正確に検出することができる、という効果を奏する。
【図面の簡単な説明】
【００１９】
【図１】第１の実施の形態に係る電池監視システムの概略構成の一例を示す回路図である。
【図２】第１の実施の形態に係る各電圧検出回路と電池セル群との関係を示す概略図である。
【図３】第１の実施の形態に係る電圧検出回路の概略構成の一例の回路図である。
【図４】第１の実施の形態に係る電圧検出回路の一例の動作を説明するための回路図である。
【図５】第２の実施の形態に係る電圧検出回路の一例の動作を説明するための回路図である。
【図６】従来の電圧検出回路と電池セル群との関係を示す概略図である。
【図７】従来の電圧検出回路の概略構成の一例の回路図である。
【図８】従来の電圧検出回路の一例の動作を説明するための回路図である。
【発明を実施するための形態】
【００２０】
［第１の実施の形態］
以下、図面を参照して第１の実施の形態の電圧検出回路、及び当該電圧検出回路により電池セルの電圧を検出する電池監視システムについて詳細に説明する。
【００２１】
まず、本実施の形態の電池監視システムの構成について説明する。図１に、本実施の形態の電池監視システムの概略構成の一例を示す。図１に示した本実施の形態の電池監視システム１０は、複数の電池セルＣを含む電池セル群１２（本実施の形態では、電池セル群１２のうち、三個の電池セルＣについて図示している）と、ノイズ除去フィルタ１４と、電池セル群１２の各電池セルの電池電圧を検出する電圧検出回路２０を備えた半導体装置１６と、を備えている。
【００２２】
半導体装置１６は、電圧検出回路２０と、ＭＣＵ２２と、を備えており、電池セル群１２の各電池セルＣ（Ｃ１〜Ｃ３）の高電位側と、低電位側とが、端子（パッド）２３を介して各電圧検出回路２０１〜２０３に接続されている（図２参照、）。
【００２３】
ＭＣＵ２２は、ＣＰＵやＲＯＭ、ＲＡＭ等のメモリから構成されており、各電圧検出回路２０（２０１〜２０３）から出力された出力ＯＵＴが所定の電位であるか否かにより、予め定められた処理を行う機能を有するものである。
【００２４】
本実施の形態では、電圧検出回路２０は、電池セルＣ（Ｃ１〜Ｃ３）毎に電圧検出回路２０１〜２０３が設けられている。本実施の形態の各電圧検出回路２０１〜２０３と電池セル群１２との関係を図２に示す。なお、以下では、電圧検出回路２０１〜２０３の個々についていう場合は、個々を示す符号を付していい、総称する場合は、単に電圧検出回路２０という。
【００２５】
電池セル群１２と電圧検出回路２０（半導体装置１６）との間には、ノイズ除去フィルタ１４が接続されている。ノイズ除去フィルタ１４はＲＣ回路よりなるＬＰＦ（ローパスフィルタ）である。ノイズ除去フィルタ１４は、高周波成分をカットすることにより、各電池セルＣで発生した急峻な電圧変動を抑制する機能を有するものである。ノイズ除去フィルタ１４のＲＣ回路の抵抗は、最高電位の電池セルＣ（Ｃ３）の高電位側に接続された抵抗Ｒ２のみ、他のＲＣ回路の抵抗Ｒ１よりも抵抗値が小さくなっている（詳細後述）。
【００２６】
各電圧検出回路２０は、各電池セルＣの電池電圧を検出する機能を有している。本実施の形態の電圧検出回路２０の概略構成の一例の回路図を図３に示す。
【００２７】
本実施の形態の電圧検出回路２０は、電圧検出回路２０の入力電圧Ｖの間（電池セルＣの高電位側に接続された配線ｌと低電位側に接続された配線ｌとの間）に、抵抗Ｒａと、定電流源Ｉ０とが直列に接続されており、その交点の電圧がコンパレータ３０の非反転端子に入力されている。一方、コンパレータ３０の反転端子には、基準電圧発生回路で発生された基準電圧が入力されるように接続されている。コンパレータ３０は、非反転端子に入力された電圧と反転端子に入力された基準電圧との差を出力する。抵抗Ｒａには、定電流源Ｉ０の定電流Ｉ０が流れるため、コンパレータ３０の非反転端子に入力される電圧は、Ｖ−Ｉ０×Ｒａになる。一方、反転端子には、基準電圧発生回路で発生された基準電圧が入力されるため、定電流Ｉ０及び抵抗Ｒａに応じた基準電圧を設定しておくことにより、コンパレータ３０からは、入力電圧Ｖ（または、入力電圧Ｖに応じた電圧）が出力される。
【００２８】
次に本実施の形態の電圧検出回路２０の電圧検出動作について図４を参照して説明する。図４では、具体的一例として、電池セル群１２が３個の電池セルＣによりなり、電池セルＣ３が最高電位、電池セルＣ１が最低電位に接続されている場合を示している。図４に示した電圧検出回路２０１〜２０２は、略同様であり、各抵抗Ｒａ（Ｒａ１〜Ｒａ３）の抵抗値、及び定電流源Ｉ０（Ｉ０１〜Ｉ０３）の電流値は等しく、基準電圧発生回路は同様の構成となっている。
【００２９】
また、図４では、電池セルＣ１に流れる電流をＩ１、電圧検出回路２０１の入力電圧をＶ１とし、電池セルＣ２に流れる電流をＩ２、電圧検出回路２０２の入力電圧をＶ２とし、電池セルＣ３に流れる電流をＩ３、電圧検出回路２０３の入力電圧をＶ３としている。
【００３０】
定電流源Ｉ０１〜Ｉ０３により、各電池セルＣに流れる電流は、各電池セルＣの電池電圧にかかわらず、Ｉ１＝Ｉ２＝Ｉ３＝定電流Ｉ０になる。
【００３１】
従って、電池セルＣ１と電池セルＣ２との間に接続されたノイズ除去フィルタ１４の抵抗Ｒ１では、電流Ｉ１と電流Ｉ２との電流値が定電流Ｉ０と等しくなり、かつ流れる方向が逆向きであるため、相殺される。従って、抵抗Ｒ１を流れる電流が実質的にゼロになり、抵抗Ｒ１による電圧降下は発生しない。また、電池セルＣ２と電池セルＣ３との間に接続されたノイズ除去フィルタ１４の抵抗Ｒ１でも同様に、抵抗Ｒ１を流れる電流が実質的にゼロになり、抵抗Ｒ１による電圧降下は発生しない。
【００３２】
なお、電池セルＣ３の高電位側に接続されたノイズ除去フィルタ１４の抵抗Ｒ２には、電流Ｉ３（一方向の電流）しか流れないため、抵抗Ｒ２での電圧降下が発生し、電池セルＣ３の電池電圧と入力電圧Ｖ３との間に誤差が生じてしまう。そのため、本実施の形態では、抵抗Ｒ２の抵抗値を小さく（少なくとも、抵抗Ｒ１よりも小さく）し、誤差の影響を軽減するように構成している。
【００３３】
このように本実施の形態によれば、各電池セルＣの高電位側に接続された配線ｌと低電位側に接続された配線ｌとの間に抵抗Ｒａと定電流源Ｉ０とが直列に接続されており、その交点の電圧がコンパレータ３０の非反転端子に入力されるように構成されている。このように、コンパレータ３０に入力される電圧を電池セルＣの電池電圧に依存しない一定の消費電流（定電流源Ｉ０）で発生させているため、各電池セルＣに流れる電流は、常に、定電流Ｉ０となる
これにより、抵抗Ｒ１では、定電流Ｉ０が互いに逆方向の向きに流れることになり相殺され、実質的に電流がゼロになる。そのため、抵抗Ｒ１による電圧降下が発生せず、電圧検出回路２０の入力電圧Ｖと電池セルＣの電池電圧との間に誤差が生じない。上述したようにコンパレータ３０からは、入力電圧Ｖが出力される。本実施の形態ではこのように誤差が生じないため、コンパレータ３０からは対応する電池セルＣの電池電圧が正確に出力される。従って、電池セルＣ（Ｃ１〜Ｃ３）の電池電圧がばらついた場合であっても、正確に電池セルＣの電池電圧を検出することができる。
【００３４】
［第２の実施の形態］
以下、図面を参照して本発明の第２の実施の形態の電圧検出回路について説明する。本実施の形態は、第１の実施の形態の電圧検出回路２０と略同様の構成、及び動作を含むため、略同様の部分については、その旨を記載し、詳細な説明を省略する。
【００３５】
図５、に本実施の形態の電圧検出回路２０の概略構成の一例の回路図を示す。本実施の形態の電圧検出回路２０では、第１の実施の形態において抵抗Ｒａと直列に接続されていた定電流源Ｉ０に対応する定電流源Ｉ０１１〜Ｉ０１３の他端をグランド（ＧＮＤ）に接続した。これにより、定電流源Ｉ０１１〜Ｉ０１３は、グランド電位（ＧＮＤ）を基準に定電流Ｉ０１１〜Ｉ０１３を生成する。
【００３６】
また、本実施の形態では、コンパレータ３０１〜３０３の反転端子に入力される基準電の発生源圧を、第１の実施の形態の基準電圧発生回路に替わり、電源電圧ＶＤＤを供給する電源線ＶＤＤに接続された定電流源Ｉ０２１〜Ｉ０２３、及びびツェナーダイオード３２１〜３２３としている。
【００３７】
本実施の形態では、抵抗Ｒａに応じたツェナーダイオード３２を用いることにより、コンパレータ３０から入力電圧Ｖ（または、入力電圧Ｖに応じた電圧）が出力される。
【００３８】
電池セルＣ１と電池セルＣ２との間に接続されたノイズ除去フィルタ１４の抵抗Ｒ１に電池セルＣ１から流れる電流Ｉ１１は、定電流源Ｉ０１１により、Ｉ１１＝定電流Ｉ０１１になる。また、定電流源Ｉ０２２からツェナーダイオード３２２を流れて生成電池セルＣ２に流れ込む電流Ｉ２２は、定電流源Ｉ０２２により、Ｉ２２＝定電流Ｉ０２２になる。同様に、電池セルＣ２と電池セルＣ３との間に接続されたノイズ除去フィルタ１４の抵抗Ｒ１に電池セルＣ２から流れる電流Ｉ２１は、定電流源Ｉ０１２により、Ｉ２１＝定電流Ｉ０１２になる。また、定電流源Ｉ０２３からツェナーダイオード３２３を流れて生成電池セルＣ３に流れ込む電流Ｉ３２は、定電流源Ｉ０２３により、Ｉ３２＝定電流Ｉ０２３になる。
【００３９】
定電流源Ｉ０１１〜Ｉ０１３及び定電流源Ｉ０２１〜Ｉ０２３の電流値が全て等しい（定電流Ｉ０）場合、電池セルＣ（Ｃ１、Ｃ２、Ｃ３）の電池電圧にかかわらず、Ｉ１１＝Ｉ２１＝Ｉ２２＝Ｉ３２＝定電流Ｉ０になる。
【００４０】
従って、電池セルＣ１と電池セルＣ２との間に接続されたノイズ除去フィルタ１４の抵抗Ｒ１では、電流Ｉ１１と電流Ｉ２２との電流値が定電流Ｉ０となり等しく、かつ流れる方向が逆向きであるため、相殺される。従って、抵抗Ｒ１を流れる電流が実質的にゼロになり、抵抗Ｒ１による電圧降下は発生しない。また、電池セルＣ２と電池セルＣ３との間に接続されたノイズ除去フィルタ１４の抵抗Ｒ１でも同様に、電流Ｉ２１と電流Ｉ３２との電流値が定電流Ｉ０となり等しく、かつ流れる方向が逆向きであるため、相殺される。従って、抵抗Ｒ１を流れる実質的に抵抗Ｒ１を流れる電流がゼロになり、抵抗Ｒ１による電圧降下は発生しない。
【００４１】
ここで、定電流源Ｉ０１及び定電流源Ｉ０２のいずれか一方のみを備えた場合を考える。例えば、定電流源Ｉ０１のみを備えた場合について考える。この形態は、上述した特許文献１に記載の従来技術に相当するが、この場合、各電池セルＣから流れ出す電流（Ｉ１１、Ｉ２１、Ｉ３１）は、全て定電流Ｉ０となり、等しくなる。しかしながら、コンパレータ３０（基準電圧を発生源）側から各電池セルＣに流れ込む電流（Ｉ２２、Ｉ３２）は、一定とならず、各電池セルＣの電池電圧に応じてばらつくことになる。従って、抵抗Ｒ１を流れる電流が相殺されることがなく、実質的にゼロにならず、抵抗Ｒ１で電圧降下が発生してしまう。定電流源Ｉ０２のみを備えた場合についても同様であり、抵抗Ｒ１を流れる電流が相殺されて実質的にゼロにならず、抵抗Ｒ１で電圧降下が発生してしまう。従って、本実施の形態のように、定電流源Ｉ０１及び定電流源Ｉ０２の両者を備えることにより、抵抗Ｒ１を流れる電流を相殺して実質的にゼロにすることができ、抵抗Ｒ１での電圧降下を防止することができる。
【００４２】
このように本実施の形態によれば、各電池セルＣの高電位側の配線ｌとグランド（ＧＮＤ）との間に抵抗Ｒａと定電流源Ｉ０１とが直列に接続されており、その交点の電圧がコンパレータ３０の非反転端子に入力されるように構成されている。また、電源線ＶＤＤと各電池セルＣの低電位側の配線ｌとの間に、定電流源Ｉ０２とツェナーダイオード３２とが直列に接続されており、定電流Ｉ０及びツェナーダイオード３２で生成された基準電圧がコンパレータ３０の反転端子に入力されるように構成されている。また、定電流源Ｉ０１と定電流源Ｉ０２とが供給する定電流はいずれも等しく（定電流Ｉ０）している。
【００４３】
このように、コンパレータ３０に入力される電圧、及び基準電圧を電池セルＣの電池電圧に依存しない一定の消費電流（定電流源Ｉ０）で発生させている。そのため、各電池セルＣに流れ込む電流、及び各電池セルＣから流れ出す電流は、常に、定電流Ｉ０となる
これにより、抵抗Ｒ１では、定電流Ｉ０が互いに逆方向の向きに流れることになり相殺され、実質的に電流がゼロになる。そのため、抵抗Ｒ１による電圧降下が発生せず、電圧検出回路２０の入力電圧Ｖと電池セルＣの電池電圧との間に誤差が生じない。従って、電池セルＣ（Ｃ１〜Ｃ３）の電池電圧がばらついた場合であっても、正確に電池セルＣの電池電圧を検出することができる。
【００４４】
また、本実施の形態では、定電流源Ｉ０１を全て、グランド電位（ＧＮＤ）を基準として定電流Ｉ０を生成するものとし、かつ定電流源Ｉ０２を全て、電源電圧の電位（ＶＤＤ）を基準として定電流Ｉ０を生成するものとしている。そのため、各電池セルＣで共通の定電流源Ｉ０１及び定電流源Ｉ０２を使用することができる。例えば、半導体装置１６内に別途、定電流源を備えている場合では、当該定電流源で生成された定電流Ｉ０を用いるように構成することができる。一方、第１の実施の形態では、定電流源Ｉ０は、各電池セルＣの低電位側の電位を基準として定電流Ｉ０を生成するため、各電位毎、すなわち、各電池セルＣ毎に定電流源Ｉ０を要する。従って、本実施の形態では、回路規模を削減することができる、という効果が得られる。
【００４５】
なお、本実施の形態では、コンパレータ３０の基準電圧源としてツェナーダイオード３２を用いたがこれに限らず、ダイオードと抵抗を用いてもよいし、抵抗のみを用いてもよい。
【００４６】
なお、上述の各実施の形態では、抵抗Ｒａを電池セルＣの正極（高電位）側に接続し、コンパレータの基準電圧を電池セルＣの負極（低電位）側に接続するように配置したがこれに限らず、両者を逆に配置してもよい。
【００４７】
なお、上述の各実施の形態ではＭＣＵ２２を電圧検出回路２０と同じ半導体装置１６内部に備えるように構成したが、これに限らず、別の回路（チップ上）に形成するようにしてもよい。また、ノイズ除去フィルタ１４は半導体装置１６外部に備えるように構成したが、これに限らず、同一回路（チップ上）に形成するようにしてもよい。
【００４８】
また、上述の各実施の形態では、電池セル群１２の各電池セルＣ毎に、電圧検出回路２０を備えた場合について詳細に説明したがこれに限らず、例えば、電池セル群１２に対して１つの電圧検出回路２０を設け、適宜スイッチング素子等で電池電圧を検出したい電池セルＣと電圧検出回路２０とを接続するようにしてもよい。
【００４９】
また、上述の各実施の形態で説明した電池監視システム１０、半導体装置１６、及び電圧検出回路２０等の構成や動作等は一例であり、本発明の主旨を逸脱しない範囲内において状況に応じて変更されることは言うまでもない。
【符号の説明】
【００５０】
１０  電池監視システム
１２  電池セル群
１４  ノイズ除去フィルタ
１６  半導体装置
２０  電圧検出回路
３０  コンパレータ
【図１】
0005989375.tif 000002
【図２】
0005989375.tif 000003
【図３】
0005989375.tif 000004
【図４】
0005989375.tif 000005
【図５】
0005989375.tif 000006
【図６】
0005989375.tif 000007
【図７】
0005989375.tif 000008
【図８】
0005989375.tif 000009